(57)【特許請求の範囲】
【請求項１】
交流電源及び負荷と２線で接続し、前記交流電源からの交流電力に基づいて自己の動作電源を確保する２線式電子スイッチであって、
前記交流電源から前記負荷への給電路に挿入され、両端間の電気的開閉を切り替える負荷開閉部と、
前記交流電力に基づいた電力で動作し、前記負荷開閉部の前記電気的開閉を切り替えて前記交流電源から前記負荷への電力供給を制御する制御信号を出力する制御部と、
前記制御部の動作電源となる第１の電源部と、
前記制御信号に基づいて、前記交流電力から変換された電力を前記第１の電源部に供給する第２の電源部と、
前記第２の電源部から前記第１の電源部に電力が供給されているときに、前記第１の電源部の充電が完了したか否かを検出する充電完了検出部と、
閉状態になることによって、前記負荷開閉部に対して前記電気的開閉を切り替えさせる補助開閉部とを備え、
前記補助開閉部は、前記充電完了検出部によって前記第１の電源部の充電が完了したことが検出されたときから、前記負荷開閉部を閉状態にしたときに発生する前記負荷に流れる負荷電流の振動がゼロクロスしないレベルになるとして定めた一定期間が経過するまで閉状態を継続する
ことを特徴とする２線式電子スイッチ。
【請求項２】
前記充電完了検出部が、前記第１の電源部の充電が完了したことを検出したときに、前記一定期間が経過するまで前記補助開閉部を閉状態にさせるパルス信号を前記補助開閉部に出力するパルス発生回路部を前記補助開閉部との接続側に備えることを特徴とする請求項１記載の２線式電子スイッチ。
【請求項３】
前記充電完了検出部が、前記第１の電源部の充電が完了したことを検出したときに、検出信号を前記制御部に出力し、
前記制御部が、前記検出信号を入力すると、前記一定期間が経過するまで前記補助開閉部を閉状態にさせるパルス信号を前記補助開閉部に出力する
ことを特徴とする請求項１記載の２線式電子スイッチ。
【請求項４】
前記負荷開閉部が開状態になって前記交流電源から前記負荷への前記電力供給が停止しているときに、前記交流電力から変換された電力を前記第１の電源部に供給する第３の電源部を備えることを特徴とする請求項１〜３のいずれか記載の２線式電子スイッチ。
【発明の詳細な説明】
【技術分野】
【０００１】
本発明は、交流電源から負荷への電力供給を入切する２線式電子スイッチであって、自ら動作電源を確保する必要がある２線式電子スイッチに関するものである。
【背景技術】
【０００２】
従来、交流電源から負荷への電力供給を入切するスイッチとして、配線器具の電子化に伴い、例えばサイリスタやトライアックなどの無接点スイッチング素子を負荷開閉部として交流電源から負荷への給電路に挿入し、電子回路を用いて上記無接点スイッチング素子を電気的に開閉（オンオフ）するタイプのもの（第１の従来スイッチ）が提供されている。第１の従来スイッチは、人が操作部（操作スイッチ）を操作したときに、上記電子回路が無接点スイッチング素子を駆動するので、自己の動作電源（回路電源）を確保する必要がある。そのため、第１の従来スイッチは３線又は４線で配線する構成である。
【０００３】
ところが、省配線の見地から２線の配線が一般的な配線器具にあっては、第１の従来スイッチは、交流電源及び負荷と２線で接続した状態では個別に電源線を引き込むことができないので、自己の動作電源の確保が問題となった。
【０００４】
上記問題を解決するものとして、無接点スイッチング素子を負荷開閉部として利用したスイッチでありながら交流電源及び負荷と直列に接続した状態で、２線での配線を可能とした２線式電子スイッチ（第２の従来スイッチ）が提案されている。なお、第２の従来スイッチとほぼ同様の構成が特許文献１に開示されている。
【０００５】
第２の従来スイッチの動作について図４を用いて説明する。図４は第２の従来スイッチの回路図である。なお、第２の従来スイッチ９では、負荷開閉部としてのトライアック９０が交流電源ＡＣ及び負荷Ｌと直列に接続している。まず、制御部９１の制御出力端子９１０からの制御信号がローレベルになると、第２の電源部９２がオフ状態になる。このとき、第３の電源部９３が第１の電源部９４に電力を供給する。この状態では、トライアック９０のゲート（駆動信号入力端）には、トライアック９０をターンオンさせるのに必要な大きさのゲート電流（駆動信号）が流れないので、トライアック９０がオフ（開）状態になり、交流電源ＡＣから負荷Ｌへの電力供給が遮断される。
【０００６】
一方、制御部９１の制御出力端子９１０からの制御信号がハイレベルになると、第２の電源部９２がオン状態になる。これにより、第２の電源部９２が第１の電源部９４に電力を供給する。このとき、第１の電源部９４の充電が完了すると、充電完了検出部９２０から補助開閉部９５に電流が流れて補助開閉部９５がオン（閉）状態になる。補助開閉部９５がオン状態になると、トライアック９０をターンオンさせるのに必要な大きさの電流がトライアック駆動部９６に流れ、トライアック駆動部９６からトライアック９０にゲート電流が流れる。これにより、トライアック９０がオン（閉）状態になり、交流電源ＡＣから負荷Ｌへの電力供給が行われる。
【特許文献１】特開２００１−２２７８０４号公報（第２〜５頁及び第７図）
【発明の開示】
【発明が解決しようとする課題】
【０００７】
しかしながら、上記第２の従来スイッチ９は、負荷Ｌに流れる負荷電流が振動するという問題があった。具体的に説明すると、交流電源ＡＣから負荷Ｌへの電力供給を行うときに、第２の従来スイッチ９は、まず、第１の電源部９４が充電して動作電源を確保し（図５の時間ｔ１〜ｔ２，ｔ４〜ｔ５）、補助開閉部９５をオン状態にし、その後、負荷開閉部（トライアック９０）をオン状態にする。このとき、第２の従来スイッチ９内の負荷電流の経路が切り替わるごとに、第２の従来スイッチ９のインピーダンスが変化することによって、負荷Ｌの負荷電圧が大きく変化する。上記負荷電圧の変化に応じて負荷電流も変化する。ここで、図５に示すように、上記負荷電流の極性が反転してしまうと負荷開閉部がオン状態からオフ状態になり、再び第１の電源部９４が充電し、補助開閉部９５をオン状態にし、負荷開閉部をオン状態にするというサイクルを繰り返す。上記サイクルを繰り返すことによって、負荷電流は振動状態となる（図５の時間ｔ２〜ｔ３，時間ｔ５〜ｔ６）。
【０００８】
本発明は上記の点に鑑みて為されたものであり、その目的とするところは、負荷に流れる負荷電流の振動を低減することができる２線式電子スイッチを提供することにある。
【課題を解決するための手段】
【０００９】
請求項１に記載の発明は、交流電源及び負荷と２線で接続し、前記交流電源からの交流電力に基づいて自己の動作電源を確保する２線式電子スイッチであって、前記交流電源から前記負荷への給電路に挿入され、両端間の電気的開閉を切り替える負荷開閉部と、前記交流電力に基づいた電力で動作し、前記負荷開閉部の前記電気的開閉を切り替えて前記交流電源から前記負荷への電力供給を制御する制御信号を出力する制御部と、前記制御部の動作電源となる第１の電源部と、前記制御信号に基づいて、前記交流電力から変換された電力を前記第１の電源部に供給する第２の電源部と、前記第２の電源部から前記第１の電源部に電力が供給されているときに、前記第１の電源部の充電が完了したか否かを検出する充電完了検出部と、閉状態になることによって、前記負荷開閉部に対して前記電気的開閉を切り替えさせる補助開閉部とを備え、前記補助開閉部は、前記充電完了検出部によって前記第１の電源部の充電が完了したことが検出されたときから、前記負荷開閉部を閉状態にしたときに発生する前記負荷に流れる負荷電流の振動がゼロクロスしないレベルになるとして定めた一定期間が経過するまで閉状態を継続することを特徴とする。
【００１０】
この構成では、自己の動作電源を確保した後、一定期間が経過するまで補助開閉部が閉状態を維持することによって、負荷電流の振動を低減することができる。これにより、多種多様な負荷と接続して用いることができる。
【００１１】
請求項２に記載の発明は、請求項１に記載の発明において、前記充電完了検出部が、前記第１の電源部の充電が完了したことを検出したときに、前記一定期間が経過するまで前記補助開閉部を閉状態にさせるパルス信号を前記補助開閉部に出力するパルス発生回路部を前記補助開閉部との接続側に備えることを特徴とする。この構成では、補助開閉部の閉状態を維持させるパルス信号を補助開閉部に出力するものを、安価なロジックＩＣで構成することができる。
【００１２】
請求項３に記載の発明は、請求項１に記載の発明において、前記充電完了検出部が、前記第１の電源部の充電が完了したことを検出したときに、検出信号を前記制御部に出力し、前記制御部が、前記検出信号を入力すると、前記一定期間が経過するまで前記補助開閉部を閉状態にさせるパルス信号を前記補助開閉部に出力することを特徴とする。この構成では、補助開閉部を閉状態にさせるパルス信号を制御部が出力するので、部品点数を削減することができる。
【００１３】
請求項４に記載の発明は、請求項１〜３のいずれかに記載の発明において、前記負荷開閉部が開状態になって前記交流電源から前記負荷への前記電力供給が停止しているときに、前記交流電力から変換された電力を前記第１の電源部に供給する第３の電源部を備えることを特徴とする。この構成では、交流電源から負荷への電力供給が停止しているときであっても、制御部に電力を確実に供給することができる。
【発明の効果】
【００１４】
本発明によれば、負荷に流れる負荷電流の振動を低減することができる。
【発明を実施するための最良の形態】
【００１５】
（実施形態１）
本発明の実施形態について図１，２を用いて説明する。図１は実施形態１の２線式電子スイッチの回路図である。図２は実施形態１の２線式電子スイッチの動作を示す図である。
【００１６】
まず、実施形態１の基本的な構成について説明する。実施形態１の２線式電子スイッチＡは、交流電源ＡＣからの交流電力に基づいて自己の動作電源を確保するものであり、図１に示すように、負荷開閉部１と、整流部２と、制御部３と、第１の電源部４と、第３の電源部５と、第２の電源部６と、充電完了検出部７と、補助開閉部８とを備え、交流電源ＡＣ及び負荷Ｌと直列に２線で接続している。なお、交流電源ＡＣは、例えば１００Ｖの商用電源などである。また、負荷Ｌは、例えば蛍光灯や白熱球を含む照明器具、換気扇などである。
【００１７】
負荷開閉部１は、トライアック１０と、トライアック駆動部１１とを備えている。トライアック１０は、例えばシリコンなどの半導体によって形成され、ゲート電流（駆動信号）に応じて２つの端子１００，１０１間の電気的開閉を切り替えるものである。上記トライアック１０は、端子１２，１３及びフィルタ用のインダクタ１４を介して交流電源ＡＣ及び負荷Ｌと直列に接続している。また、トライアック１０及びインダクタ１４は、サージ吸収素子１５及びフィルタ用のコンデンサ１６のそれぞれと並列に接続している。一方、トライアック駆動部１１は、抵抗１１０と、コンデンサ１１１とを並列に接続して備え、一端でトライアック１０のゲート（駆動信号入力端）と接続するとともに他端でトライアック１０の端子１０１と接続している。また、トライアック駆動部１１は、整流部２を介して後述の補助開閉部８のサイリスタ８０と直列に接続している。上記トライアック駆動部１１は、サイリスタ８０がオン（閉）状態になると、流れる電流が大きくなり、トライアック１０をターンオンさせるのに必要な大きさのゲート電流をトライアック１０のゲートに流す。実施形態１において、トライアック１０がオン（閉）状態になると、交流電源ＡＣ、トライアック１０、インダクタ１４、負荷Ｌの回路で導通し、負荷Ｌに電力が供給されて負荷Ｌが動作する。これに対して、トライアック１０がオフ（開）状態になると、負荷Ｌに電力が供給されなくなり、負荷Ｌの動作が停止する。
【００１８】
整流部２は、４つのダイオードからなるダイオードブリッジであり、入力端で端子１２，１３を介して交流電源ＡＣ及び負荷Ｌと接続し、出力端で第３の電源部５、第２の電源部６及び補助開閉部８と接続している。上記整流部２は、交流電源ＡＣからの交流電力を全波整流し、全波整流された電力を第３の電源部５、第２の電源部６及び補助開閉部８に出力する。
【００１９】
制御部３は、例えば人の操作などによって、トライアック１０の電気的開閉を切り替える制御信号を制御出力端子３０から第２の電源部６に出力するマイクロコンピュータである。上記制御部３は、第１の電源部４からの電力で動作する。また、制御部３は、人が操作するものとして、例えばタクトスイッチなどの操作部（操作スイッチ）（図示せず）を接続して備え、上記操作部が操作されるごとに上記制御信号を第２の電源部６に出力する。上記制御信号は、ハイレベルとローレベルの２値信号であり、制御部３は、トライアック１０をオン状態にする場合にはハイレベルの制御信号を出力し、トライアック１０をオフ状態にする場合にはローレベルの制御信号を出力する。これにより、制御部３は、交流電源ＡＣから負荷Ｌへの電力供給を制御する。
【００２０】
第１の電源部４は、制御部３の動作電源であり、入力端側から順に、バッファ用コンデンサ４０と、３端子レギュレータ４１と、コンデンサ４２と、コンデンサ４３とを並列に接続して備え、入力端で第３の電源部５及び第２の電源部６と接続し、出力端で制御部３の入力端と接続している。バッファ用コンデンサ４０は、第３の電源部５及び第２の電源部６からの電力を充電し、リップル成分を除去することによって平滑にする。３端子レギュレータ４１は、バッファ用コンデンサ４０の直流電圧を、例えば３Ｖに降圧安定化する。上記より、第１の電源部４は、安定した電力を制御部３に供給する。
【００２１】
第３の電源部５は、入力端側から順に、限流用の抵抗５０と、ＮＰＮ型のトランジスタ５１と、抵抗５２とを直列に接続して備え、入力端で整流部２の出力端と接続し、出力端側で第１の電源部４と接続している。また、第３の電源部５は、トランジスタ５１のベース−コレクタ間に接続されるバイアス抵抗５３と、トランジスタ５１のベースにカソードが接続されるツェナーダイオード５４とを備えている。トランジスタ５１のベースは、ツェナーダイオード５４を介して接地されている。上記トランジスタ５１のオン状態とオフ状態によって第３の電源部５のインピーダンス変換が行われる。上記第３の電源部５は、トライアック１０がオフ状態になって交流電源ＡＣから負荷Ｌへの電力供給が停止しているときに、交流電源ＡＣからの交流電力を、整流部２を介して全波整流された電力として受け、ツェナーダイオード５４によって大きさが規定された電力に変換し、変換された電力を第１の電源部４に供給する。このとき、２線式電子スイッチＡ内の負荷電流は、第１の電源部４に流れるものと、ツェナーダイオード５４に流れるものに分割されるが、どちらも最終的にはグランドを介して整流部２を流れ、負荷Ｌを介して交流電源ＡＣに戻る。このときの負荷電流は、負荷Ｌが誤動作しない程度の大きさである。また、制御部３の消費電流は低く抑えられ、第３の電源部５のインピーダンスは高く維持されている。
【００２２】
第２の電源部６は、入力端側から順に、ＰＮＰ型のトランジスタ６０と、ダイオード６１とを直列に接続して備え、入力端で整流部２の出力端と接続し、出力端で第１の電源部４と接続している。つまり、第２の電源部６は、第３の電源部５と並列に接続している。また、第２の電源部６は、トランジスタ６０のベース−エミッタ間に接続される抵抗６２及びコンデンサ６３と、トランジスタ６０のベースに接続される抵抗６４及びＮＰＮ型のトランジスタ６５とを備えている。さらに、第２の電源部６は、トランジスタ６５のベース−エミッタ間に接続される抵抗６６を備えている。トランジスタ６５は、エミッタが接地され、ベースが制御部３の制御出力端子３０と接続している。上記トランジスタ６５は、トランジスタ６０のオン状態、オフ状態を制御する。上記第２の電源部６は、制御部３からの制御信号に基づいて、交流電源ＡＣからの交流電力を、整流部２を介して全波整流された電力として受け、上記電力を第１の電源部４に供給する。具体的な手順を説明すると、制御部３からハイレベルの制御信号を受けると、トランジスタ６５がオン状態になる。これにより、トランジスタ６０がオン状態になる。このとき、２線式電子スイッチＡのインピーダンスが低下する。その後、第２の電源部６は、第１の電源部４に電力を供給する。これに対して、制御部３からローレベルの制御信号を受けると、トランジスタ６５がオフ状態になり、トランジスタ６０もオフ状態になる。これにより、第２の電源部６は、第１の電源部４への電力供給を停止する。
【００２３】
充電完了検出部７は、ツェナーダイオード７０と、パルス発生回路部７１とを備えている。ツェナーダイオード７０は、第２の電源部６から第１の電源部４に電力が供給されているときに、第１の電源部４のバッファ用コンデンサ４０の直流電圧（第１の電源部４の入力電圧）が高くなって充電し、カソード電位がツェナー電圧より高くなると、検出信号をパルス発生回路部７１に出力することによって、第１の電源部４の充電が完了したことを検出する。パルス発生回路部７１は、例えば安価なロジックＩＣなどで構成されるものであり、補助開閉部８との接続側に配置されている。上記パルス発生回路部７１は、ツェナーダイオード７０から検出信号が入力されると、一定期間、後述の補助開閉部８のサイリスタ８０をオン状態にさせるパルス信号を、後述の補助開閉部８のサイリスタ駆動部８１に流す。サイリスタ８０をオン状態にするための一定期間は、負荷電流の振動が発生しても負荷電流がゼロクロスしないレベルになるまでの時間であり、用途に応じて適宜設定するものである。なお、上記一定期間を約１〜３ｍｓｅｃとすると、消費電流を小さくすることができる。
【００２４】
補助開閉部８は、サイリスタ８０と、サイリスタ駆動部８１とを備えている。サイリスタ８０は、整流部２の出力端と接続するとともに、第３の電源部５及び第２の電源部６の入力端とも接続している。サイリスタ駆動部８１は、抵抗８１０及びコンデンサ８１１を並列に接続して備え、一端がサイリスタ８０のゲート及びパルス発生回路部７１と接続し、他端がサイリスタ８０のカソードと接続している。上記サイリスタ駆動部８１は、パルス発生回路部７１からパルス信号を受け取っている間、サイリスタ８０をターンオンさせるのに必要な大きさのゲート電流をサイリスタ８０に流す。これにより、整流部２から第２の電源部６に流れていた負荷電流が整流部２からサイリスタ８０に流れ、補助開閉部８は、負荷開閉部１のトライアック駆動部１１に対してトライアック１０をターンオンさせるのに必要な大きさのゲート電流をトライアック１０に流すようにして、トライアック１０をオン状態に切り替えさせる。
【００２５】
次に、実施形態１の２線式電子スイッチＡの動作について説明する。まず、交流電源ＡＣから負荷Ｌへの電力供給が行われない状態（オフ状態）の動作について説明する。制御部３の制御信号がローレベルになると、第２の電源部６のトランジスタ６５及びトランジスタ６０がオフ状態になる。一方、第３の電源部５が第１の電源部４に電力を供給する。これにより、第１の電源部４が制御部３の動作電源となる。この状態では、トライアック１０のゲートには、トライアック１０をターンオンさせるのに必要な大きさのゲート電流が流れないので、トライアック１０がオフ状態になり、交流電源ＡＣから負荷Ｌに対して、動作するのに十分な電力が供給されない。
【００２６】
続いて、交流電源ＡＣから負荷Ｌへの電力供給が行われる状態（オン状態）の動作について説明する。制御部３の制御信号がハイレベルになると、トランジスタ６５及びトランジスタ６０がオン状態になり、第２の電源部６が第１の電源部４に電力を供給する。これにより、第１の電源部４が制御部３の動作電源となる。一方、第１の電源部４の入力電圧が高くなり、ツェナーダイオード７０のカソード電位がツェナー電圧より高くなると、パルス発生回路部７１がパルス信号を一定期間、サイリスタ駆動部８１に出力する。その後、サイリスタ駆動部８１がパルス信号を受け取っている間、サイリスタ８０をターンオンさせるのに必要な大きさのゲート電流をサイリスタ８０に流し、サイリスタ８０がオン状態になる。これにより、整流部２から第２の電源部６に流れていた負荷電流が整流部２からサイリスタ８０に流れる。その後、トライアック駆動部１１によって、トライアック１０をターンオンさせるのに必要な大きさのゲート電流がトライアック１０のゲートに流れ、トライアック１０がオン状態になる。
【００２７】
ここで、トライアック１０がオン状態になると、トライアック１０に負荷電流が流れるが、ゼロクロス点を迎えたところで自己消弧してオフ状態になる。トライアック１０がオフ状態になると、再び整流部２から第２の電源部６を介して第１の電源部４に負荷電流が流れ、２線式電子スイッチＡの動作電源を確保する。つまり、交流電源ＡＣからの交流電力の半周期ごとに、動作電源を確保する動作を行う。
【００２８】
上記交流電源ＡＣから負荷Ｌへの電力供給が行われる状態の動作によって、図２に示すように、パルス発生回路部７１がパルス信号を一定期間、出力することによって（図２の時間ｔ２〜ｔ４，ｔ６〜ｔ８）、サイリスタ８０が一定期間、オン状態を維持する。このとき、サイリスタ８０からトライアック１０に負荷電流の経路が切り替わっても、２線式電子スイッチＡ内の電圧変化は比較的小さいので、負荷電流の変化も小さい。サイリスタ８０がオン状態を維持している一定期間に負荷電流が増加するので、負荷電流がゼロクロスすることが少なくなり（図２の時間ｔ２〜ｔ３，ｔ６〜ｔ７）、負荷電流の振動を低減することができる。
【００２９】
以上、実施形態１によれば、自己の動作電源を確保した後、一定期間、補助開閉部８のサイリスタ８０がオン状態を維持することによって、負荷Ｌに流れる負荷電流の振動を低減することができる。これにより、２線式電子スイッチＡは、多種多様な負荷Ｌと接続して用いることができる。また、サイリスタ８０のオン状態を維持させるパルス信号を補助開閉部８のサイリスタ駆動部８１に出力するものを、安価なロジックＩＣで構成することができる。さらに、交流電源ＡＣから負荷Ｌへの電力供給が停止しているときであっても、第３の電源部５によって、制御部３に電力を確実に供給することができる。
【００３０】
（実施形態２）
本発明の実施形態２について図３を用いて説明する。図３は実施形態２の２線式電子スイッチの要部回路図である。なお、図３のａ及びｂは図１のａ及びｂで整流部２と接続する。
【００３１】
実施形態２の２線式電子スイッチＢは、図１，３に示すように、負荷開閉部１と、整流部２と、第１の電源部４と、第３の電源部５と、第２の電源部６と、補助開閉部８とを、実施形態１の２線式電子スイッチＡと同様に備えているが、実施形態１の２線式電子スイッチにはない以下に記載の特徴部分がある。
【００３２】
実施形態２の２線式電子スイッチＢは、実施形態１の制御部３及び充電完了検出部７に代えて、図３に示すような制御部３ａ及び充電完了検出部７ａを備えている。充電完了検出部７ａは、補助開閉部８と接続しないで、制御部３ａと接続している。上記充電完了検出部７ａは、第２の電源部６から第１の電源部４に電力が供給されているときに、第１の電源部４のバッファ用コンデンサ４０の直流電圧が高くなって充電し、カソード電位がツェナー電圧より高くなると、検出信号を制御部３ａに出力することによって、第１の電源部４の充電が完了したことを検出する。
【００３３】
一方、制御部３ａは、充電完了検出部７ａから検出信号を入力すると、一定期間、補助開閉部８のサイリスタ８０をオン状態にさせるパルス信号を補助開閉部８のサイリスタ駆動部８１に出力する。なお、制御部３ａは、上記以外の点において、実施形態１の制御部３（図１参照）と同様である。
【００３４】
次に、実施形態２の２線式電子スイッチＢの動作について説明する。なお、交流電源ＡＣから負荷Ｌへの電力供給が行われない状態（オフ状態）の動作は、実施形態１と同様である。続いて、交流電源ＡＣから負荷Ｌへの電力供給が行われる状態（オン状態）の動作について説明する。制御部３の制御信号がハイレベルになると、実施形態１と同様に、第２の電源部６が第１の電源部４に電力を供給する。その後、第１の電源部４の充電が完了したときに、充電完了検出部７ａが検出信号を制御部３ａに流す。制御部３ａが、充電完了検出部７ａから検出信号を受け取ると、パルス信号を一定期間、サイリスタ駆動部８１に出力する。その後、実施形態１と同様に、サイリスタ駆動部８１がパルス信号を受け取っている間、ゲート電流をサイリスタ８０に流し、サイリスタ８０がオン状態になる。その後、トライアック駆動部１１によって、トライアック１０をターンオンさせるのに必要な大きさのゲート電流がトライアック１０のゲートに流れ、トライアック１０がオン状態になる。
【００３５】
以上、実施形態２によれば、補助開閉部８のサイリスタ８０をオン状態にさせるパルス信号を制御部３ａが出力するので、部品点数を削減することができる。
【００３６】
なお、実施形態１，２の変形例として、負荷開閉部がトライアックに代えてサイリスタを備える構成であってもよい。このような構成であっても、実施形態１，２と同様の効果を奏する。
【００３７】
また、実施形態１，２の他の変形例として、トライアックをオン状態にする場合、及びトライアックをオフ状態にする場合に、制御部がパルス状の制御信号を第２の電源部に出力し、第２の電源部が上記制御信号に基づいて第１の電源部に電力を供給する構成であってもよい。このような構成であっても、実施形態１，２と同様の効果を奏する。
【図面の簡単な説明】
【００３８】
【図１】本発明による実施形態１の２線式電子スイッチの回路図である。
【図２】同上の２線式電子スイッチの動作を示す図である。
【図３】本発明による実施形態２の２線式電子スイッチの要部回路図である。
【図４】従来の２線式電子スイッチの回路図である。
【図５】同上の２線式電子スイッチの動作を示す図である。
【符号の説明】
【００３９】
１  負荷開閉部
１０  トライアック
１１  トライアック駆動部
２  整流部
３  制御部
４  第１の電源部
６  第２の電源部
７  充電完了検出部
７０  ツェナーダイオード
７１  パルス発生回路部
８０  サイリスタ
８１  サイリスタ駆動部
【図１】
0004552847.tif 000002
【図２】
0004552847.tif 000003
【図３】
0004552847.tif 000004
【図４】
0004552847.tif 000005
【図５】
0004552847.tif 000006